(57)【特許請求の範囲】
【請求項１】
ボイラ本体内に上から順に上部伝熱管群、脱硝装置、下部伝熱管群を配置すると共に前後に管寄せ支持装置を備え、周囲を前後壁、左右の側壁で囲い、同左右側壁の上部を所定間隔で左右方向へ平行に貫通して配置した複数のボイラ支持ホットビームを有するガス竪流れ型排ガスボイラにおける排ガスボイラ圧力受システムであって、前記各ボイラ支持ホットビームに接続し、同ボイラ支持ホットビームと同じ間隔で前記左右側壁に取付けられて垂直に配置し、左右方向に加わる排ガス圧力を受ける複数の垂直バックスティと；前記ボイラ本体の底面に前記ボイラ支持ホットビームと平行に配置すると共に、その両端は前記左右の各垂直バックスティに接続する底面バックスティとを具備してなることを特徴とする排ガスボイラ排ガス圧力受システム。
【請求項２】
前記垂直バックスティは上部、下部垂直バックスティからなり、同上部、下部垂直バックスティは左右側壁中央部でそれぞれ前記脱硝装置の支持ビームで連結していることを特徴とする請求項１記載の排ガスボイラ排ガス圧力受システム。
【発明の詳細な説明】
【０００１】
【発明の属する技術分野】
本発明は脱硝装置を有するガス竪流れ型排ガスボイラに適用される排ガス圧力受システムに関する。
【０００２】
【従来の技術】
図４は従来のガス竪流れ型排ガスボイラ排ガス圧力受システムの構成を示す図で、図５はそのＣ−Ｃ矢視図、図６はそのＤ−Ｄ矢視図である。これらの図において、１はボイラ支持ホットビーム、２は脱硝装置支持ビーム、３は脱硝装置、４は前壁水平バックスティ、５は後壁水平バックスティ、６は側壁水平バックスティ、７は上部伝熱管群、８は下部伝熱管群、９は前壁ケーシング、１０は後壁ケーシング、１１は側壁ケーシングである。
【０００３】
このような従来の排ガスボイラ排ガス圧力受システムは、ボイラの前壁ケーシング９、後壁ケーシング１０、側壁ケーシング１１にそれぞれ水平バックスティを取付け、図５に示すように各ケーシングの周囲に水平バックスティを配置し、後述するようにケーシングが受ける排ガス圧力を伝達し、釣り合せるものである。
【０００４】
上記構成において、前壁ケーシング９、後壁ケーシング１０が受ける前後方向に作用する排ガス圧力は、前壁水平バックスティ４、後壁水平バックスティ５に伝達され、側壁ケーシング１１を介して釣り合う構造となっている。側壁ケーシング１１に作用する排ガス圧力は側壁水平バックスティ６に伝達され、前壁ケーシング９、後壁ケーシング１０を介して釣り合う構造となっている。
【０００５】
【発明が解決しようとする課題】
従来の前壁、後壁、側壁バックスティ４，５，６から構成される排ガスボイラにおいては、排ガス圧力に対して最適ピッチでバックスティを配置すると側壁ケーシング貫通配管との調整及び前後側壁バックスティを同レベルに設置しなければならない為設計の自由度が少ないという問題があった。
【０００６】
本発明はかかる現状に鑑みなされたもので、特別なボイラの構造変更を要する事なく上記の課題を解決し、更にバックスティの重量低減を可能とする排ガスボイラ排ガス圧力受システムを提供することを目的とするものである。
【０００７】
【課題を解決するための手段】
そのため、本発明は次の（１）、（２）の手段を提供する。即ち、（１）ボイラ本体内に上から順に上部伝熱管群、脱硝装置、下部伝熱管群を配置すると共に前後に管寄せ支持装置を備え、周囲を前後壁、左右の側壁で囲い、同左右側壁の上部を所定間隔で左右方向へ平行に貫通して配置した複数のボイラ支持ホットビームを有するガス竪流れ型排ガスボイラにおける排ガスボイラ圧力受システムであって、前記各ボイラ支持ホットビームに接続し、同ボイラ支持ホットビームと同じ間隔で前記左右側壁に取付けられて垂直に配置し、左右方向に加わる排ガス圧力を受ける複数の垂直バックスティと；前記ボイラ本体の底面に前記ボイラ支持ホットビームと平行に配置すると共に、その両端は前記左右の各垂直バックスティに接続する底面バックスティとを具備してなることを特徴とする排ガスボイラ排ガス圧力受システムを提供する。
【０００８】
更に、（２）上記（１）において、前記垂直バックスティは上部、下部垂直バックスティからなり、同上部、下部垂直バックスティは左右側壁中央部でそれぞれ前記脱硝装置の支持ビームで連結していることを特徴とする排ガスボイラ排ガス圧力受システムを提供する。
【０００９】
本発明はこのような手段を採用することにより次のような作用を奏する。即ち、従来のバックスティシステムは前後側壁に鉢巻き状に水平バックスティが配置されているのに対し、本発明の（１）においては左右側壁に垂直バックスティを配置し、左右方向に作用する排ガス圧力をこの側壁に設けた垂直バックスティで受け、上部のボイラ支持ホットビーム、下部の底面バックスティを介して伝達し、左右方向で釣り合わせる。
【００１０】
又、前後方向排ガス圧力を管寄せ支持装置に伝達し、左右側壁ケーシングを介し、前後に釣り合わせる事により設計の自由度が大きく、前後壁に水平バックスティを設置しない事による重量低減が図れる。
【００１１】
又、（２）においては上記の（１）での左右方向に作用する排ガス圧力は垂直バックスティで受け、ボイラ支持ホットビーム、中間部で垂直バックスティに連結した脱硝装置支持ビーム、底面バックスティを介し釣り合わせる。又、側壁垂直バックスティを脱硝装置支持ビームで２分割しているため垂直バックスティのスパンが短かくなる事により重量低減が図れる。
【００１２】
【発明の実施の形態】
以下、本発明の実施の形態について図面に基いて具体的に説明する。図１は本発明の実施の一形態に係る排ガスボイラ排ガス圧力受システムの構成を示す側面図、図２はそのＡ−Ａ矢視図、図３はそのＢ−Ｂ矢視図である。これら図において従来と同一符号の部分は同一機能を有するので同じ符号を引用して説明するが、本発明の主な特徴は、従来の水平バックスティを設置せず、垂直バックスティと底面バックスティを設けたものであり、以下にこれらの構成につき詳しく説明する。
【００１３】
図１において、１はボイラ支持ホットビーム、２は脱硝装置支持ビーム、３は脱硝装置、７は上部伝熱管群、８は下部伝熱管群、９は前壁ケーシング、１０は後壁ケーシング、１１は側壁ケーシング、１２は管寄せ支持装置である。１３は側壁垂直バックスティ、１３′は下部側壁バックスティ、１４は底面バックスティである。
【００１４】
上記各部分より構成される本実施の形態の排ガス圧力受システムの特徴を更に詳しく説明すると、ボイラ支持ホットビーム１は、図３に示すように、ガス竪流れ型排ガスボイラの上部の側壁ケーシング１１を貫通し、平行に複数本が配置されていて、このボイラ支持ホットビーム１の両端にそれぞれ側壁垂直バックスティ１３の上端が接合されている。
【００１５】
又、脱硝装置支持ビーム２も、図１に示すように側壁ケーシング１１に接するように両側壁方向に複数本が配置されていて、この脱硝装置支持ビーム２の上端に側壁垂直バックスティ１３の下端が接合されている。
【００１６】
又、下側壁垂直バックスティ１３′はその上端が脱硝装置支持ビーム２の下端に接合されていて、下端は、排ガスボイラの底面バックスティ１４に接合されている。一方、排ガスボイラの前後部には、トラス構成された管寄せ支持装置１２が複数段、設けられている。
【００１７】
このような構成において、側壁ケーシング１１が受けるガス流れの左右方向に作用する排ガス圧力は左右側壁垂直バックスティ１３に伝達され、上部伝熱管群７、下部伝熱管群８、脱硝支持ビーム２及び脱硝装置３の垂直荷重を支持するボイラ支持ホットビーム１と、下部伝熱管群８及び脱硝装置３の垂直荷重を支持する脱硝支持ビーム２と、底面バックスティ１４とを介して左右方向に作用する排ガス圧力をそれぞれ伝達し、釣り合わせる。
【００１８】
又、前壁ケーシング９及び後壁ケーシング７，１０が受ける前後方向に作用する排ガス圧力は管寄せ支持装置１２に伝達され、側壁ケーシング１１を介して前後に伝達し、前後方向排ガス圧力を釣り合わせる。
【００１９】
上記に説明のように、本実施の形態における排ガスボイラ排ガス圧力受システムにおいては、従来のようにボイラケーシング全周に水平バックスティ４，５，６を配置する代りに両側面に垂直バックスティ１３，１３′及び下部に底面バックスティ１４を設ける構成としたので配管との調整が容易となり、前後側壁での水平バックスティのレベル調整が不要となることにより、設計の自由度の大きいバックスティ配置が可能となり、又前後壁水平バックスティを設置しない事による重量低減が図れる。
【００２０】
【発明の効果】
以上、具体的に説明したように、本発明は、ガス竪流れ型排ガスボイラにおける排ガス圧力受システムとして、左右側壁に垂直バックスティを設け、本体底面に底面バックスティを設けた構成として、更に、垂直バックスティを上部と下部垂直バックスティに分割し、中間部で脱硝装置の支持ビームで連結する構成も提供するので次のような効果を奏する。
【００２１】
（１）バックスティ配置の自由度が大きく、前後壁水平バックスティを設置しない事による重量低減が図れる。
【００２２】
（２）側壁垂直バックスティは上部〜底面までの一本物ではなく、脱硝支持ビームで２分割される為、側壁垂直バックスティのスパンが短くなることで重量低減が図れる。
【００２３】
（３）上記のバックスティの重量低減により、ボイラが軽量、コンパクトとなり、ボイラ支持鉄骨の重量低減が図れる。
【図面の簡単な説明】
【図１】本発明の実施の一形態に係る排ガスボイラ排ガス圧力受システムの構成を示す側面図である。
【図２】図１におけるＡ−Ａ矢視図である。
【図３】図１におけるＢ−Ｂ矢視図である。
【図４】従来の排ガスボイラ排ガス圧力受システムの構成を示す側面図である。
【図５】図４におけるＣ−Ｃ矢視図である。
【図６】図４におけるＤ−Ｄ矢視図である。
【符号の説明】
１      ボイラ支持ホットビーム
２      脱硝装置支持ビーム
３      脱硝装置
７      上部伝熱管群
８      下部伝熱管群
９      前壁ケーシング
１０    後壁ケーシング
１１    側壁ケーシング
１２    管寄せ支持装置
１３    側壁垂直バックスティ
１３′  下部側壁垂直バックスティ
１４    底面バックスティ
【図１】
0003592850.tif 000002
【図２】
0003592850.tif 000003
【図３】
0003592850.tif 000004
【図４】
0003592850.tif 000005
【図５】
0003592850.tif 000006
【図６】
0003592850.tif 000007